(57)【要約】【課題】絶縁操作棒の簡易な操作で、分岐用締付けコネクタを係脱できる間接活線工事用コネクタカバーを提供する。【解決手段】コネクタカバー１０は、絶縁ケース１とシャッタ板２を備える。絶縁ケース１は、コネクタＤを内部に導入自在な凹部１ｃを有する。シャッタ板２は、絶縁ケース１とスライド自在に連結し、凹部１ｃの前面開口１ｋを封鎖できる。絶縁ケース１は、ホック穴１１ｈを開口した第１把持片１１を下端部に有し、シャッタ板２は、屈曲自在なヒンジ部２ｈで下端縁に連結し、ホック穴１１ｈに嵌合自在なホック２１ｈを突出した第２把持片２１を有する。一対の把持腕９ａ・９ｂで第２把持片２１を把持して、シャッタ板２を第１把持片１１に向かってスライドし、一対の把持腕９ａ・９ｂで第１把持片１１と第２把持片２１を挟持し、ホック２１ｈをホック穴１１ｈに係止できる。【選択図】図１
2018082519.tif 000002
【特許請求の範囲】
【請求項１】
開閉自在な一対の把持腕を先端部に有する絶縁操作棒を用いて、架空電線と分岐線を接続する分岐用締付けコネクタを覆う、着脱自在に接続する間接活線工事用コネクタカバーであって、
前面側に開口し、架空電線及び分岐線を接続した状態の分岐用締付けコネクタを内部に導入自在な凹部を有する箱状の絶縁ケースと、
前記絶縁ケースとスライド自在に連結し、前記凹部の前面開口を封鎖自在な、絶縁性を有するシャッタ板と、を備え、
前記絶縁ケースは、ホック穴を開口した第１把持片を下端部に有し、
前記シャッタ板は、屈曲自在なヒンジ部で下端縁に連結し、前記ホック穴に嵌合自在なホックを突出した第２把持片を有し、
一対の前記把持腕で前記第２把持片を把持して、前記シャッタ板を前記第１把持片に向かってスライドし、
一対の前記把持腕で前記第１把持片と前記第２把持片を挟持し、前記ホックを前記ホック穴に係止できる、間接活線工事用コネクタカバー。
【請求項２】
前記第１把持片は、前記シャッタ板の下端縁から下り傾斜した状態で、前記前面開口側に突出している、請求項１記載の間接活線工事用コネクタカバー。
【請求項３】
前記絶縁ケースは、
その両側面から相反する向きに突出し、架空電線を外周方向から導入自在な一対の電線導入筒部と、
一方の側面から突出し、分岐線を外周方向から導入自在な分岐線導入筒部と、を有する、請求項１又は２記載の間接活線工事用コネクタカバー。
【請求項４】
前記絶縁ケースは、前記シャッタ板の背面に形成した一対の平行レールと分離困難に嵌合する案内溝を底部に向かって貫通した突部を上部に有する、請求項１から３のいずれかに記載の間接活線工事用コネクタカバー。
【発明の詳細な説明】
【技術分野】
【０００１】
本発明は、間接活線工事用コネクタカバーに関する。特に、間接活線工事用の絶縁操作棒を用いて、架空電線と分岐線を機械的及び電気的に接続する分岐用締付けコネクタを絶縁状態で覆う間接活線工事用コネクタカバーの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事を行なうことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、用途に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁操作棒を用いて、電線を把持する作業の他に、電線に防護管を被せる作業、又は電線にバインド線を巻き付ける作業などが実施されている。
【０００５】
このような絶縁操作棒を用いて、電柱に架設された架空電線に分岐線を電気的に接続する分岐用締付けコネクタが開示されている（例えば、特許文献１参照）。
【０００６】
図５は、従来技術による分岐用締付けコネクタを用いた装柱例を示す斜視図である。図６は、従来技術による分岐用締付けコネクタの斜視図である。本願の図５は、特許文献１の図５に相当し、本願の図６は、特許文献１の図６に相当している。
【０００７】
図５を参照すると、架空電線Ｗは、腕金Ａを介して電柱Ｐに架設されている。又、架空電線Ｗは、分岐線Ｗｂの一方の端末を接続して、架空電線Ｗから分岐線Ｗｂに電気を分配している。分岐線Ｗｂの他方の端末は、例えば、カットアウトを介して、柱上変圧器Ｔに接続している。この場合、架空電線Ｗと分岐線Ｗｂを電気的に接続するために、分岐用締付けコネクタＤを用いている。
【０００８】
図６を参照すると、分岐用締付けコネクタ（以下、コネクタと略称する）Ｄは、一対の導電部材Ｆ・Ｇで構成している。これらの導電部材Ｆ・Ｇは、締め付けボルトＥで中間部を連結している。又、一対の導電部材Ｆ・Ｇは、半円弧状に形成した本線挟持部Ｈ・Ｈを一方の端部に設けている。締め付けボルトＥを締め付けると、これらの本線挟持部Ｈ・Ｈは、架空電線Ｗの絶縁被覆が剥離された芯線Ｃを外周方向から挟持できる。
【０００９】
更に、図６を参照すると、一対の導電部材Ｆ・Ｇは、分岐線挟持部Ｊ・Ｊを他方の端部に設けている。締め付けボルトＥを締め付けると、これらの分岐線挟持部Ｊ・Ｊは、分岐線Ｗｂの絶縁被覆が剥離された芯線Ｃを外周方向から挟持できる。そして、コネクタＤは、架空電線Ｗと分岐線Ｗｂとを機械的及び電気的に接続できる。
【００１０】
又、図６を参照すると、分岐線Ｗｂが風などで揺らされて、コネクタＤの挟持部から芯線Ｃが破断しないように、分岐線Ｗｂの一端部側をバインド線Ｂで架空電線Ｗに結束している。
【００１１】
図６を参照して、架空電線Ｗと分岐線ＷｂをコネクタＤで接続後に、コネクタＤは、充電部が露出しないように、絶縁性を有するカバーで覆われる。このような、間接活線工事用の絶縁操作棒を用いて、分岐用締付けコネクタを絶縁状態で覆う間接活線工事用コネクタカバーが開示されている（例えば、特許文献２参照）。
【先行技術文献】
【特許文献】
【００１２】
【特許文献１】特開平９−３５７６５号公報
【特許文献２】特開２０１３−１９８１８０号公報
【発明の概要】
【発明が解決しようとする課題】
【００１３】
図７は、従来技術による間接活線工事用コネクタカバーの構成を示す斜視図である。図８は、従来技術による間接活線工事用コネクタカバーの内部に収容される分岐用締付けコネクタの構成を示す斜視図であり、分岐用締付けコネクタに備わるリング状部材を水平状態から水平状態に変位させた状態図である。なお、本願の図７と図８は、特許文献２の図２と図６に相当している。
【００１４】
図９は、従来技術による間接活線工事用コネクタカバーを操作するための第１の絶縁操作棒の構成を示す斜視図である。図１０は、図９の要部を拡大した斜視図である。
【００１５】
図１１は、従来技術による間接活線工事用コネクタカバーを操作するための第２の絶縁操作棒の構成を示す正面図である。図１２は、図１１の要部を拡大した正面図である。図１３は、図１２の左側面図である。
【００１６】
次に、従来技術による間接活線工事用コネクタカバーの構成を説明する前に、第１の絶縁操作棒の構成を説明する。
【００１７】
図９を参照すると、第１の絶縁操作棒７は、工具部７１、柄部７２、及び把持部７３を備えている。工具部７１には、先端工具８などを着脱自在となっている（図７又は図８参照）。把持部７３は、作業員が把持し易いように滑り止めを施こしている。柄部７２は、工具部７１と把持部７３とを連結し、絶縁性を有する長尺の管体からなっている。
【００１８】
図９を参照すると、柄部７２は、円錐体状の水切り鍔７ａを中間部に取り付けている。水切り鍔７ａは、工具部７１から進出する水を堰き止めることができる。又、柄部７２と把持部７３との接続部には、円錐体状の限界鍔７ｂを取り付けている。限界鍔７ｂの取り付け位置は、絶縁性を考慮して、第１の絶縁操作棒７を安全に作業できる限界を示している。
【００１９】
図９又は図１０を参照すると、工具部７１は、円柱状の軸部７１ａと一対のピン７１ｂ・７１ｂを備えている。又、工具部７１は、プッシュロッド７１ｃと及びリングナット７１ｄを有している。軸部７１ａは、柄部７２の軸方向に突出している。一対のピン７１ｂ・７１ｂは、相反する向きに軸部７１ａの外周から突出している。
【００２０】
図１０を参照すると、プッシュロッド７１ｃは、工具部７１に内蔵された圧縮コイルばね（図示せず）によって、力を付勢され、軸部７１ａの先端面から突出している。
【００２１】
図１０を参照すると、リングナット７１ｄは、軸部７１ａの下方に配置されている。リングナット７１ｄは、軸部７１ａと螺合している。リングナット７１ｄを一方の方向に回転すると、後述する先端工具８のジョイント部８１の底面に当接して、先端工具８を固定できる（図８参照）。リングナット７１ｄを他方の方向に回転すると、後述する先端工具８のジョイント部８１の底面からリングナット７１ｄが離れて、先端工具８を解放できる（図８参照）。
【００２２】
一方、図８を参照すると、先端工具８のジョイント部８１は、軸穴８１ａと一対のＴ字状の係合溝８１ｂ・８１ｂを有している。軸穴８１ａは、底面を円形に開口している。軸穴８１ａには、軸部７１ａを嵌合自在に挿入できる（図９又は図１０参照）。
【００２３】
図８又は図１０を参照して、第１の絶縁操作棒７の一対のピン７１ｂ・７１ｂを軸穴８１ａの軸方向に挿入した後に、これらのピン７１ｂ・７１ｂを軸穴８１ａの周方向に回動することで、これらのピン７１ｂ・７１ｂを係合溝８１ｂ・８１ｂに係合できる。
【００２４】
上述したような係合手段は、ツイストロックと呼ばれている。そして、図７から図１０を参照して、工具部７１とジョイント部８１が嵌合した状態では、プッシュロッド７１ｃが軸穴８１ａの上壁を弾圧すると共に、リングナット７１ｄが軸穴８１ａの底面に当接して、ジョイント部８１には、工具部７１を確実に固定できる。
【００２５】
図９又は図１０に示した第１の絶縁操作棒７は、間接活線工事に好適な絶縁操作棒の一種であるが、異なる用途の先端工具を接続自在に共用できることから、特に、「共用操作棒」と呼ばれている。
【００２６】
更に、従来技術による間接活線工事用コネクタカバーの構成を説明する前に、第２の絶縁操作棒の構成を説明する。
【００２７】
図１１から図１３を参照すると、第２の絶縁操作棒９は、長尺の操作棒９１と把持工具９２で構成している。又、第２の絶縁操作棒９は、作動棒９３を備えている。把持工具９２は、操作棒９１の先端部に取り付けている。
【００２８】
図１１又は図１２を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００２９】
図１１を参照すると、作動棒９３は、操作棒９１に沿って保持されている。作動棒９３の先端部は、他方の把持腕９ｂに回動自在に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００３０】
図１２又は図１３を参照すると、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図１１又は図１２を参照して、操作レバー９４を握ると、把持面９０ｂを把持面９０ａに近づけることができる。
【００３１】
図１１から図１３に示した第２の絶縁操作棒９は、高所に配置された高圧配電線などを一対の把持爪９１ａ・９１ｂで把持できる、いわゆる「絶縁ヤットコ」になっている。
【００３２】
次に、従来技術による間接活線工事用コネクタカバーの構成を説明する。図７を参照すると、従来技術による間接活線工事用コネクタカバー（以下、コネクタカバーと略称する）６は、一対の箱状の絶縁ケース６ａ・６ｂを備えている。これらの絶縁ケース６ａ・６ｂは、一端部側をヒンジで回動自在に連結し、他端部側を開閉自在に構成している。そして、これらの絶縁ケース６ａ・６ｂは、分岐用締付けコネクタ（以下、コネクタと略称する）Ｄ２を内部に収容できる（図８参照）。
【００３３】
図７を参照すると、コネクタカバー６は、他方の絶縁ケース６ｂの他端部側の中央部から、帯板状の把持片６２を突出している。把持片６２は、第２の絶縁操作棒９の先端部に設けた一対の把持腕９ａ・９ｂで把持できる（図１１又は図１２参照）。そして、一対の把持腕９ａ・９ｂで把持片６２を把持して、コネクタカバー６を移動できる。
【００３４】
又、図７を参照すると、コネクタカバー６は、一方の絶縁ケース６ａの他端部側の両端部から、一対の帯板状の第１ホック片６３ａ・６３ａを突出している。同様に、他方の絶縁ケース６ｂは、その他端部側の両端部から、一対の第１ホック片６３ａ・６３ａに対向自在な一対の第２ホック片６３ｂ・６３ｂを突出している。
【００３５】
図７を参照すると、第２ホック片６３ｂには、図示しない円柱状の突起を突出している。一方、第１ホック片６３ａには、前記突起に嵌合する嵌合穴（図示せず）を開口している。別の第２の絶縁操作棒９を用いて、第１ホック片６３ａと第２ホック片６３ｂをこれらの外側から把持することで、前記突起を前記嵌合穴に嵌合でき、一対の絶縁ケース６ａ・６ｂを閉じることができる。
【００３６】
一方、一対の絶縁ケース６ａ・６ｂを開く場合には、先端工具８の先端部に設けたブレード８ｂ（図８参照）を第１ホック片６３ａと第２ホック片６３ｂの間に差し込む（図７参照）。次に、図７を参照して、第１の絶縁操作棒７をその軸回りに回動して、ブレード８ｂ（図８参照）を捩ることで、第１ホック片６３ａと第２ホック片６３ｂの係合状態を解除できる。そして、一対の絶縁ケース６ａ・６ｂを開くことができる（図７参照）。
【００３７】
図８を参照すると、コネクタＤ２は、一対の導電部材Ｆ２・Ｇ２、締め付けボルトＥ２、及び、リング部材Ｒを備えている。一対の導電部材Ｆ２・Ｇ２は、締め付けボルトＥ２で中間部を連結している。又、一対の導電部材Ｆ２・Ｇ２は、半円弧状に形成した本線挟持部Ｈ２・Ｈ２を一方の端部に設けている。締め付けボルトＥ２を締め付けると、これらの本線挟持部Ｈ２・Ｈ２は、架空電線Ｗの絶縁被覆が剥離された芯線Ｃを外周方向から挟持できる。
【００３８】
更に、図８を参照すると、一対の導電部材Ｆ２・Ｇ２は、分岐線挟持部Ｊ２・Ｊ２を他方の端部に設けている。締め付けボルトＥ２を締め付けると、これらの分岐線挟持部Ｊ２・Ｊ２は、分岐線Ｗｂの絶縁被覆が剥離された芯線Ｃを外周方向から挟持できる。そして、コネクタＤ２は、架空電線Ｗと分岐線Ｗｂとを機械的及び電気的に接続できる。
【００３９】
又、図８を参照すると、リング部材Ｒは、一対の分岐線挟持部Ｊ２・Ｊ２側に回動自在に連結している。第１の絶縁操作棒７を用いて、ブレード８ｂの側面に形成した凹部８２にリング部材Ｒを係合し、リング部材Ｒを架空電線Ｗと略平行な水平状態から架空電線Ｗと略直交する鉛直状態に回動できる。
【００４０】
図８を参照すると、リング部材Ｒは、一対の分岐線挟持部Ｊ２・Ｊ２が互いに離反する力を付勢している。第１の絶縁操作棒７を用いて、リング部材Ｒを鉛直状態に回動した後に、締め付けボルトＥ２を弛めると、リング部材Ｒの付勢力で一対の導電部材Ｆ２・Ｇ２を拡げることができる。これにより、コネクタＤ２を架空電線Ｗから取り外すことができる。
【００４１】
図７又は図８を参照して、コネクタカバー６をコネクタＤ２で覆う場合には、第２の絶縁操作棒９で把持片６２を把持した状態で、別の第２の絶縁操作棒９を用いて、第１ホック片６３ａと第２ホック片６３ｂを閉じている。
【００４２】
一方、図７又は図８を参照して、コネクタカバー６をコネクタＤ２から取り外す場合には、第２の絶縁操作棒９で把持片６２を把持した状態で、第１の絶縁操作棒７を用いて、第１ホック片６３ａと第２ホック片６３ｂを開いている。
【００４３】
このように、従来技術による間接活線工事用コネクタカバーは、分岐用締付けコネクタを係脱するために、絶縁操作棒の複雑な操作を必要としている。絶縁操作棒の簡易な操作で、分岐用締付けコネクタを係脱できる間接活線工事用コネクタカバーが求められている。そして、以上のことが本発明の課題といってよい。
【００４４】
本発明は、このような課題に鑑みてなされたものであり、絶縁操作棒の簡易な操作で、分岐用締付けコネクタを係脱できる間接活線工事用コネクタカバーを提供することを目的とする。
【課題を解決するための手段】
【００４５】
本発明者は、分岐用締付けコネクタの背後から絶縁ケースの内部に導入し、シャッタ板で封鎖することで、分岐用締付けコネクタを絶縁状態で容易に覆うことができると考え、これに基づいて、以下のような新たな間接活線工事用コネクタカバーを発明するに至った。
【００４６】
（１）本発明による間接活線工事用コネクタカバーは、開閉自在な一対の把持腕を先端部に有する絶縁操作棒を用いて、架空電線と分岐線を接続する分岐用締付けコネクタを覆う、着脱自在に接続する間接活線工事用コネクタカバーであって、前面側に開口し、架空電線及び分岐線を接続した状態の分岐用締付けコネクタを内部に導入自在な凹部を有する箱状の絶縁ケースと、前記絶縁ケースとスライド自在に連結し、前記凹部の前面開口を封鎖自在な、絶縁性を有するシャッタ板と、を備え、前記絶縁ケースは、ホック穴を開口した第１把持片を下端部に有し、前記シャッタ板は、屈曲自在なヒンジ部で下端縁に連結し、前記ホック穴に嵌合自在なホックを突出した第２把持片を有し、一対の前記把持腕で前記第２把持片を把持して、前記シャッタ板を前記第１把持片に向かってスライドし、一対の前記把持腕で前記第１把持片と前記第２把持片を挟持し、前記ホックを前記ホック穴に係止できる。
【００４７】
（２）前記第１把持片は、前記シャッタ板の下端縁から下り傾斜した状態で、前記前面開口側に突出していることが好ましい。
【００４８】
（３）前記絶縁ケースは、その両側面から相反する向きに突出し、架空電線を外周方向から導入自在な一対の電線導入筒部と、一方の側面から突出し、分岐線を外周方向から導入自在な分岐線導入筒部と、を有することが好ましい。
【００４９】
（４）前記絶縁ケースは、前記シャッタ板の背面に形成した一対の平行レールと分離困難に嵌合する案内溝を底部に向かって貫通した突部を上部に有することが好ましい。
【発明の効果】
【００５０】
本発明による間接活線工事用コネクタカバーは、分岐用締付けコネクタを内部に導入自在な凹部を有する箱状の絶縁ケースと、凹部の前面開口を封鎖自在な、絶縁性を有するシャッタ板と、を備え、開閉自在な一対の把持腕を先端部に有する絶縁操作棒を用いて、分岐用締付けコネクタの背後から絶縁ケースの内部に導入し、シャッタ板で封鎖することで、分岐用締付けコネクタを絶縁状態で容易に覆うことができる。
【図面の簡単な説明】
【００５１】
【図１】本発明の一実施形態による間接活線工事用コネクタカバーの構成を示す斜視分解組立図である。
【図２】前記実施形態による間接活線工事用コネクタカバーの構成を示す斜視図であり、間接活線工事用コネクタカバーに備わる絶縁ケースの前面開口をシャッタ板で封鎖した状態図である。
【図３】前記実施形態による共用操作棒用送風機の構成を示す図であり、図３（Ａ）は、共用操作棒用送風機の正面図、図３（Ｂ）は、共用操作棒用送風機の下面図、図３（Ｃ）は、図３（Ａ）の縦断面図、図３（Ｄ）は、図３（Ｃ）のＣ−Ｃ矢視断面図である。
【図４】前記実施形態による間接活線工事用コネクタカバーの構成を示す図であり、図４（Ａ）は、間接活線工事用コネクタカバーの正面図、図４（Ｂ）は、間接活線工事用コネクタカバーの左側面図、図４（Ｃ）は、間接活線工事用コネクタカバーの平面図である。
【図５】従来技術による分岐用締付けコネクタを用いた装柱例を示す斜視図である。
【図６】従来技術による分岐用締付けコネクタの斜視図である。
【図７】従来技術による間接活線工事用コネクタカバーの構成を示す斜視図である。
【図８】従来技術による間接活線工事用コネクタカバーの内部に収容される分岐用締付けコネクタの構成を示す斜視図であり、分岐用締付けコネクタに備わるリング状部材を水平状態から水平状態に変位させた状態図である。
【図９】従来技術による間接活線工事用コネクタカバーを操作するための第１の絶縁操作棒の構成を示す斜視図である。
【図１０】図９の要部を拡大した斜視図である。
【図１１】従来技術による間接活線工事用コネクタカバーを操作するための第２の絶縁操作棒の構成を示す正面図である。
【図１２】図１１の要部を拡大した正面図である。
【図１３】図１２の左側面図である。
【発明を実施するための形態】
【００５２】
以下、図面を参照して本発明を実施するための形態を説明する。
［間接活線工事用コネクタカバーの構成］
最初に、本発明の一実施形態による間接活線工事用コネクタカバーの構成を説明する。
【００５３】
図１は、本発明の一実施形態による間接活線工事用コネクタカバーの構成を示す斜視分解組立図である。
【００５４】
図２は、前記実施形態による間接活線工事用コネクタカバーの構成を示す斜視図であり、間接活線工事用コネクタカバーに備わる絶縁ケースの前面開口をシャッタ板で封鎖した状態図である。
【００５５】
図３は、前記実施形態による間接活線工事用コネクタカバーの構成を示す図であり、図３（Ａ）は、間接活線工事用コネクタカバーの正面図、図３（Ｂ）は、図３（Ａ）のＡ−Ａ矢視断面図である。
【００５６】
図４は、前記実施形態による間接活線工事用コネクタカバーの構成を示す図であり、図４（Ａ）は、間接活線工事用コネクタカバーの正面図、図４（Ｂ）は、間接活線工事用コネクタカバーの左側面図、図４（Ｃ）は、間接活線工事用コネクタカバーの平面図である。
【００５７】
なお、従来技術で使用した符号と同じ符号を有する構成品は、その作用を同じとするので、以下説明を省略することがある。
【００５８】
（全体構成）
次に、本発明の一実施形態による間接活線工事用コネクタカバーの全体構成を説明する。図１から図４を参照すると、本発明の一実施形態による間接活線工事用コネクタカバー（以下、コネクタカバーと略称する）１０は、箱状の絶縁ケース１と絶縁性を有するシャッタ板２を備えている。絶縁ケース１は、その前面に開口した凹部１ｃを有する。凹部１ｃには、架空電線Ｗ及び分岐線Ｗｂを接続した状態のコネクタＤを内部に導入できる（図３参照）。
【００５９】
図１から図４を参照すると、シャッタ板２は、絶縁ケース１とスライド自在に連結している。そして、シャッタ板２は、凹部１ｃの前面開口１ｋを封鎖できる（図２又は図４参照）。
【００６０】
図１から図４を参照すると、絶縁ケース１は、第１把持片１１を下端部に有している。第１把持片１１は、ホック穴１１ｈを中央部に開口している（図１又は図３（Ａ）参照）。
【００６１】
一方、図１から図４を参照すると、シャッタ板２は、第２把持片２１を有している。第２把持片２１は、屈曲自在なヒンジ部２ｈでシャッタ板２の下端縁に連結している。又、第２把持片２１は、ホック２１ｈを突出している（図１又は図３（Ｃ）参照）。ホック２１ｈは、ホック穴１１ｈに嵌合できる（図４（Ｂ）参照）。
【００６２】
図１又は図３（Ｂ）を参照して、一対の把持腕９ａ・９ｂで第２把持片２１を把持して（図１１から図１３参照）、シャッタ板２を第１把持片１１に向かってスライドできる（図２又は図４参照）。次に、一対の把持腕９ａ・９ｂで第１把持片１１と第２把持片２１を挟持し（図３（Ｂ）参照）、ホック２１ｈをホック穴１１ｈに係止できる。
【００６３】
実施形態によるコネクタカバー１０は、架空電線Ｗ及び分岐線Ｗｂを接続した状態のコネクタＤを前面開口１ｋ側から内部に導入でき、開閉自在な一対の把持腕９ａ・９ｂを先端部に有する絶縁操作棒９を用いて、コネクタＤを容易に絶縁状態で覆うことができる。
【００６４】
（絶縁ケースの構成）
次に、実施形態による絶縁ケース１の構成を説明する。図１から図４を参照して、絶縁ケース１は、絶縁性を有する合成樹脂からなることが好ましく、絶縁性を有する合成樹脂を成形して、箱状の絶縁ケース１を得ることができる。
【００６５】
図２又は図３（Ｂ）及び図４（Ｂ）を参照すると、第１把持片１１は、シャッタ板２の下端縁から下り傾斜した状態で、前面開口１ｋ側に突出している。これにより、第１把持片１１に向かってスライドした第２把持片２１を第１把持片１１に屈曲すると、ホック２１ｈをホック穴１１ｈに容易に係止できる。
【００６６】
又、図１から図４を参照すると、絶縁ケース１は、一対の電線導入筒部１２・１２と分岐線導入筒部１３を有している。一対の電線導入筒部１２・１２は、絶縁ケース１の両側面１ｓ・１ｓから相反する向きに突出している。そして、電線導入筒部１２は、架空電線Ｗをその外周方向から導入できる。架空電線Ｗを電線導入筒部１２で保持することで、架空電線Ｗの揺れを緩和できる。
【００６７】
図３又は図４を参照すると、分岐線導入筒部１３は、一方の側面１ｓから突出している。そして、分岐線導入筒部１３は、分岐線Ｗｂをその外周方向から導入できる。分岐線Ｗｂを分岐線導入筒部１３で保持することで、分岐線Ｗｂの揺れを緩和できる。
【００６８】
図１から図４を参照すると、絶縁ケース１は、一対の突部１４・１４を上部に有している。突部１４は、絶縁ケース１の底部に向かって貫通した案内溝１４ｍを有している（図１参照）。案内溝１４ｍは、絶縁ケース１の底部に向かって開口した方形溝になっている。そして、一対の案内溝１４ｍ・１４ｍは、シャッタ板２の背面に形成した一対の平行レール２ｒ・２ｒと分離困難に嵌合している。そして、一対の突部１４・１４は、シャッタ板２をスライド自在に案内できる。
【００６９】
（シャッタ板の構成）
次に、実施形態によるシャッタ板２の構成を説明する。図１から図４を参照して、シャッタ板２は、絶縁性を有する合成樹脂からなることが好ましく、絶縁性を有する合成樹脂を成形して、平板状のシャッタ板２を得ることができる。
【００７０】
図１から図４を参照すると、シャッタ板２は、一対の平行レール２ｒ・２ｒを背面側に形成している。平行レール２ｒは、その横断面をＴ字状に形成している。そして、平行レール２ｒは、突部１４の上部側から案内溝１４ｍに挿入できる。
【００７１】
［間接活線工事用コネクタカバーの作用］
次に、実施形態によるコネクタカバー１０の操作方法を説明しながら、コネクタカバー１０の作用及び効果を説明する。
【００７２】
最初に、図３を参照して、架空電線Ｗ及び分岐線Ｗｂを接続した状態のコネクタＤを絶縁ケース１の内部に導入する。言い換えれば、既設のコネクタＤの背後から、絶縁ケース１を進出して、コネクタＤを絶縁ケース１の内部に導入できる。この場合、第１把持片１１を一対の把持腕９ａ・９ｂで把持して（図３（Ｂ）参照）、絶縁ケース１を移動することが好ましい。
【００７３】
次に、図１又は図３（Ｂ）を参照して、一対の把持腕９ａ・９ｂで第２把持片２１を把持して（図１１から図１３参照）、シャッタ板２を第１把持片１１に向かってスライドする（図２又は図４参照）。次に、一対の把持腕９ａ・９ｂで第１把持片１１と第２把持片２１を挟持することで（図３（Ｂ）参照）、ホック２１ｈをホック穴１１ｈに係止できる。そして、コネクタＤを容易に絶縁状態で覆うことができる。
【００７４】
一方、図３（Ｂ）を参照して、一対の把持腕９ａ・９ｂで第２把持片２１の先端部を把持して、第２把持片２１を第１把持片１１から引き離すことで、ホック２１ｈとホック穴１１ｈの係止状態を解除できる。次に、一対の把持腕９ａ・９ｂで第２把持片２１の先端部を把持して、シャッタ板２を上方にスライドすることで、コネクタＤからコネクタカバー１０を取り外すことができる。
【００７５】
実施形態によるコネクタカバー１０は、架空電線Ｗ及び分岐線Ｗｂを接続した状態のコネクタＤを前面開口１ｋ側から内部に導入でき、開閉自在な一対の把持腕９ａ・９ｂを先端部に有する絶縁操作棒９を用いて、コネクタＤを容易に絶縁状態で覆うことができる。
【００７６】
本発明による間接活線工事用コネクタカバーは、次のような効果が期待できる。
（１）絶縁操作棒一本でコネクタカバーを取り付けでき、又は撤去できる。
（２）ホックを解除すると、シャッタ板を上方にスライドでき、分岐用締付けコネクタからコネクタカバーを容易に取り外すことができる。
（３）分岐用締付けコネクタを背後側からコネクタカバーの内部に導入できる。
【符号の説明】
【００７７】
１  絶縁ケース
１ｃ  凹部
１ｋ  前面開口
２  シャッタ板
２ｈ  ヒンジ部
９  絶縁操作棒
１０  コネクタカバー（間接活線工事用コネクタカバー）
１１  第１把持片
１１ｈ  ホック穴
２１  第２把持片
２１ｈ  ホック
９ａ・９ｂ  一対の把持腕
Ｄ  分岐用締付けコネクタ
Ｗ  架空電線
Ｗｂ  分岐線
【図１】
2018082519.tif 000003
【図２】
2018082519.tif 000004
【図３】
2018082519.tif 000005
【図４】
2018082519.tif 000006
【図５】
2018082519.tif 000007
【図６】
2018082519.tif 000008
【図７】
2018082519.tif 000009
【図８】
2018082519.tif 000010
【図９】
2018082519.tif 000011
【図１０】
2018082519.tif 000012
【図１１】
2018082519.tif 000013
【図１２】
2018082519.tif 000014
【図１３】
2018082519.tif 000015